【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
カラー入力装置のデバイスに依存する色値をデバイスに依存しない色値に変換するための色特性モデルを生成する色処理装置であって、
前記カラー入力装置によってカラーパッチを測定することにより得られるデバイスに依存する色値と、前記カラーパッチのデバイスに依存しない色値の対応関係を複数有する第一の集合を取得する取得手段と、
前記第一の集合の測定範囲外であり、前記デバイスに依存する色値である所定の追加点に対応する前記デバイスに依存しない色値を前記第一の集合から外挿して算出して、前記追加点のデバイスに依存する色値と、前記追加点のデバイスに依存しない色値の対応関係を有する第二の集合を生成する追加点生成手段と、
前記第一の集合と前記第二の集合を用いて、多項式で示される前記色特性モデルを生成する色特性モデル生成手段とを有することを特徴とする色処理装置。
【請求項２】
前記所定の追加点は境界点であることを特徴とする請求項1に記載された色処理装置。
【請求項３】
前記所定の追加点は、前記カラー入力装置のデバイスに依存する色空間立方体の角の点であることを特徴とする請求項1に記載された色処理装置。
【請求項４】
前記追加点生成手段は、前記所定の追加点の距離と色相に基づき前記第一の集合から選択される対応関係を用いて、前記追加点に対応する前記デバイスに依存しない色値を算出することを特徴とする請求項1から請求項3の何れか一項に記載された色処理装置。
【請求項５】
カラー入力装置のデバイスに依存する色値をデバイスに依存しない色値に変換するため色特性モデルを生成する色処理方法であって、
前記カラー入力装置によってカラーパッチを測定することにより得られるデバイスに依存する色値と、前記カラーパッチのデバイスに依存しない色値の対応関係を複数有する第一の集合を取得し、
前記第一の集合の測定範囲外であり、前記デバイスに依存する色値である所定の追加点に対応する前記デバイスに依存しない色値を前記第一の集合から外挿して算出して、前記追加点のデバイスに依存する色値と、前記追加点のデバイスに依存しない色値の対応関係を有する第二の集合を生成し、
前記第一の集合と前記第二の集合を用いて、多項式で示される前記色特性モデルを生成することを特徴とする色処理方法。
【請求項６】
コンピュータ装置を制御して、請求項1から請求項4の何れか一項に記載された色処理装置の各手段として機能させることを特徴とするコンピュータプログラム。
【手続補正２】
【補正対象書類名】明細書
【補正対象項目名】発明の名称
【補正方法】変更
【補正の内容】
【発明の名称】色処理装置およびその方法
【手続補正３】
【補正対象書類名】明細書
【補正対象項目名】０００１
【補正方法】変更
【補正の内容】
【０００１】
本発明は、カラー入力装置の色特性モデル(color characterization model)の生成に関する。
【手続補正４】
【補正対象書類名】明細書
【補正対象項目名】０００６
【補正方法】変更
【補正の内容】
【０００６】
本発明は、多項式回帰が行われるカラー入力装置の色空間に境界条件を課すことで、上述の問題を解決することを目的とする。
【手続補正５】
【補正対象書類名】明細書
【補正対象項目名】０００７
【補正方法】変更
【補正の内容】
【０００７】
請求項1の発明は、カラー入力装置のデバイスに依存する色値をデバイスに依存しない色値に変換するための色特性モデルを生成する色処理装置であって、前記カラー入力装置によってカラーパッチを測定することにより得られるデバイスに依存する色値と、前記カラーパッチのデバイスに依存しない色値の対応関係を複数有する第一の集合を取得する取得手段と、前記第一の集合の測定範囲外であり、前記デバイスに依存する色値である所定の追加点に対応する前記デバイスに依存しない色値を前記第一の集合から外挿して算出して、前記追加点のデバイスに依存する色値と、前記追加点のデバイスに依存しない色値の対応関係を有する第二の集合を生成する追加点生成手段と、前記第一の集合と前記第二の集合を用いて、多項式で示される前記色特性モデルを生成する色特性モデル生成手段とを有することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、カラー入力装置によってカラーパッチを測定することにより得られるデバイスに依存する色値と、カラーパッチのデバイスに依存しない色値の対応関係を複数有する第一の集合の測定範囲を超える領域に生じるオーバシュートとアンダシュートを低減して、高精度な色特性モデルを生成することができる。
【手続補正９】
【補正対象書類名】明細書
【補正対象項目名】００１２
【補正方法】変更
【補正の内容】
【００１２】
一つの面によると、本発明は、カラー装置のデバイスに依存する色空間からデバイスに依存しない色空間への変換を行うための色特性モデルを生成する。測色データの第一の集合は、カラー装置の実際の測定値に対応してアクセスされる。実際の測定値は、デバイスに依存する色空間内の測定範囲を定義する。測定データは、データ点対を含む。各データ点対は、対応するデバイスに依存する値とデバイスに依存しない値を有する。次に、データ点対の第二の集合は、色測定データの第一の集合からデバイスに依存しない値を外挿することで、測定範囲外のデバイスに依存する値の所定の集合に基づき生成される。そして、色特性モデルは、色測定データの第一の集合とデータ点対の、生成された第二の集合の双方に基づき決定される。色特性モデルは、多変量線形回帰と非線形回帰の何れかによって決定することが好ましい。さらに、デバイスに依存しない値の所定の集合は、デバイスに依存する色空間の軸または角の境界に対応することが好ましい。カラー装置のデバイスに依存する色空間は、RGB空間が好ましい。デバイスに依存しない色空間は、CIELUV空間、CIELAB空間またはJAB空間が好ましい。色特性モデルは、色管理システムが使用可能であることが好ましい。
【手続補正１０】
【補正対象書類名】明細書
【補正対象項目名】００１３
【補正方法】変更
【補正の内容】
【００１３】
図1は本発明の一実施例の外観を示す図である。とくに、図1はパーソナルコンピュータ（以下、PC）であるホストプロセッサ103を含むコンピュータ装置100を示す。コンピュータ装置100は、テキストと画像をユーザに表示する表示画面107を含むカラーモニタ101、テキストデータとユーザコマンドをPC103に入力するキーボード106、ポインティングデバイス111を備える。ポインティングデバイス111は、表示画面107上に表示されるオブジェクトをポイント、選択、操作するためのマウスが好ましい。コンピュータ装置100は、フレキシブルディスクドライブ108、固定ディスク110、および/または、CD-ROMドライブ109などのコンピュータが読み取り可能なメモリ媒体を備える。コンピュータが読み取り可能なメモリ媒体は、リムーバブルおよび非リムーバブルなメモリ媒体に格納された画像データ、コンピュータが実行可能な処理ステップ、アプリケーションプログラムなどの情報にコンピュータ装置100がアクセスすることを可能にする。さらに、ネットワーク通信路105は、ローカルエリアネットワークまたはインターネットなどの他のソースから、コンピュータ装置100が情報、画像、アプリケーションプログラムを取得することを可能にする。